(57)【要約】【課題】ビル、マンション等の建築において壁面や天井面、床面にコンセント等の埋め込み用に長方形状に開孔するために、電気ドリルでの開孔では、非常に作業時間がかかり、カッターナイフ等での作業が危険を伴い、さらに切断面にドリルの後が残ってしまっていた。【解決手段】本考案は、ベースとなるプレートに回転駆動装置等の電気ドリルを直接接続出来る主動シャフトと所定の間隔を隔てて従動する従動シャフトを配設し、当該の各々シャフトにスプロケットを２段設け、当該スプロケットにコンベアチェーンを懸架して、壁面等に楕円孔を開孔するため、当該コンベアチェーンに垂直にブレードを突設するように形成した楕円孔を開孔する装置であり、回転駆動装置等の電気ドリルを主動ホルダーに取着し、壁面や天井面、床面に楕円孔を開孔しようとする時の位置決めと位置ずれ防止の為に、主動及び従動固定ホルダーに鉄鋼ドリルを突設し、位置決めと位置ずれ防止機能を有することにより、正確、迅速、安全、楽に作業が出来るようにしている。【選択図】図１
0003124139.tif 000002
【実用新案登録請求の範囲】
【請求項１】
ベースとなるプレートに回転駆動装置等の電気ドリルを直接接続出来る主動シャフトと所定の間隔を隔てて従動する従動シャフトを配設し、当該の各々シャフトにスプロケットを２段設け、当該スプロケットにコンベアチェーンを懸架して、壁面等に楕円孔を開孔するため、当該コンベアチェーンに垂直にブレードを突設するように形成した楕円孔を開孔する装置であり、回転駆動装置等の電気ドリルに取り付けが出来るように形成している楕円孔穴あけ装置。
【請求項２】
壁面や天井面、床面に楕円孔を開孔しようとする時の位置決めと位置ずれ防止の為に、主動及び従動固定ホルダーに鉄鋼ドリルを突設した、位置決めと位置ずれ防止装置を装着した請求項１に記載した楕円孔穴あけ装置。
【考案の詳細な説明】
【技術分野】
【０００１】  本考案は、ビル、マンション等の建築において壁面や天井面、床面にコンセント等の埋め込み電気配線用に開孔する穴あけ装置に関するものである。
【背景技術】
【０００２】  従来、ビル、マンション等の建築において壁面や天井面、床面にコンセント等の埋め込み電気配線用に開孔するには、開孔する形状に合わせて電気ドリルで数十回開孔した後、カッターナイフ等で長方形に切断開孔していた。さらに切断面にドリルの後が残ってしまっていた。
【考案の開示】
【考案が解決しようとする課題】
【０００３】  コンセント等の埋め込み様に長方形状に開孔するために、電気ドリルでの開孔では、非常に作業時間がかかり、カッターナイフ等での作業が危険を伴っていた。従って、長方形状の長穴に開孔するために正確、迅速、安全、楽に作業ができる穴あけ装置により前述の問題点を解決しようとするものである。
【課題を解決するための手段】
【０００４】  本考案は、上記の課題を解決する為に、配線工事に支障がない楕円孔を開孔する装置として、ベースとなるプレートに回転駆動装置等の電気ドリルを直接接続出来る主動シャフトと所定の間隔を隔てて従動する従動シャフトを配設し、当該の各々シャフトにスプロケットを２段設け、当該スプロケットにコンベアチェーンを懸架して、壁面等に楕円孔を開孔するため、当該コンベアチェーンに垂直にブレードを突設するように形成した楕円孔を開孔する装置であり、回転駆動装置等の電気ドリルに取り付けが出来るように形成している。【０００５】  回転駆動装置等の電気ドリル等を主動ホルダーに取着し、壁面や天井面、床面に楕円孔を開孔しようとする時の位置決めと位置ずれ防止の為に、主動及び従動固定ホルダーに鉄鋼ドリルを突設した、位置決めと位置ずれ防止具を装着した楕円孔穴あけ装置を提供する。【０００６】  穴あけ作業中の操作性と安全性の向上の為、ハンドルの付加により安定性を向上させ、防護カバーの付加により不必要な回転部分を目隠しするとともに切り屑の飛散を防止する。
【考案の効果】
【０００７】  本考案の楕円孔穴あけ装置は、壁面や天井面、床面に楕円孔を開孔する為にコンベアチェーンに装着したブレードの回転とずれ防止機能により、正確、迅速、安全、楽に作業ができ、楕円孔が綺麗に開孔することが出来る。
【考案を実施するための最良の形態】
【０００８】  本考案の楕円孔穴あけ装置に回転駆動装置等の電気ドリルを受動シャフトに取付け、壁面や天井面、床面に楕円孔を開孔しよう部分に、突設した位置決め用鉄鋼ドリル部を押し当て、電気ドリルの回転により主動側スプロケットが回転し、懸架したコンベアチェーンにより、従動スプロケットが回転すると、コンベアチェーンに取付けたブレードが楕円軌道を描く回転により、被加工物に楕円孔を開孔する。
【実施例】
【０００９】  以下、添付図面に従って一実施例を説明する。本考案の楕円孔穴あけ装置は、図１のように回転駆動装置等の電気ドリルのチャック部２を主動シャフト３に装着し、主動側と従動側のスプロケットに懸架したコンベアチェーン１３にブレード１１を取着するように構成している。【００１０】  上記を構成のベースとなるプレート６は、肉厚で加工が容易なアルミ板等が望ましい、そのプレート６にプッシュホルダー５、ベアリングホルダー４、プッシュヒンジピン１６、従動ヒンジピン１４等が装着できるように加工を加える。【００１１】  このプレート６の上部にプッシュホルダー５を配置し、これにベアリングホルダー４、主動ホルダー３を挿入し、このベアリングホルダー４の下部より主動固定ホルダー７を配置し、これに上段スプロケット９と下段スプロケット１０配置する。【００１２】次に所定の間隔を隔てて従動側を配置する。まず、ベアリング１５をプレート６に挟み込むように２個配置し、このベアリング１５に従動ヒンジピン１４を挿入し、主動側と同様に従動固定シャフト１８、上段スプロッケト９、下段スプロッケト１０の順に配置する。【００１３】  そして、壁面や天井面、床面に楕円孔を開孔する為に、図２に示すようにコンベアチェーン１３にブレード固定アングル２０を付加したものを上下段スプロケット９、１０に対称に懸架して、上下のコンベアチェーン１３の個々のチェーン固体一つ一つに渡すようにブレード１１を垂直に配置し、板ナット１２を用い固定することにより、壁面や天井面、床面に楕円孔を開孔できるように配置する。【００１４】  回転駆動装置等の電気ドリル１を主動ホルダー３に取着し、壁面や天井面、床面に楕円孔を開孔しようとする時の開孔の位置決めと開孔時のずれ防止の為に、主動固定ホルダー７及び従動固定ホルダー１８に鉄鋼ドリル８を突設し、位置決めと位置ずれ防止機能を有する。【００１５】  図３に示す、ハンドル固定ホルダー２１、ハンドルパイプ２２は、楕円孔を開孔時に本装置の安定性を向上させ、防護カバー２３は、不必要な回転部分を目隠しするとともに切り屑の飛散を防止する。
【図面の簡単な説明】
【００１６】
【図１】本考案の一実施例の側断面図である。
【図２】同上の下面図である。
【図３】同上の上面図である。
【符号の説明】
【００１７】１    回転駆動装置の電気ドリル            １３  コンベアチェーン
２    電気ドリルのチャック部              １４  従動ヒンジピン
３    主動シャフト                        １５  ベアリング
４    ベアリングホルダー                  １６  プッシュヒンジピン
５    プッシュホルダー                    １７  圧縮スプリング
６    プレート                            １８  従動固定シャフト
７    主動固定シャフト                    １９  プッシュ
８    鉄鋼ドリル                          ２０  ブレード固定アングル
９    上段スプロッケト                    ２１  ハンドル固定ホルダー
１０  下段スプロッケト                    ２２  ハンドルパイプ
１１  ブレード                            ２３  防護カバー
１２  板ナット
【図１】
0003124139.tif 000003
【図２】
0003124139.tif 000004
【図３】
0003124139.tif 000005